(57)【要約】【課題】平ボデー型トラック荷台の煽り板を倒した時に、自動的にステップ板が出て足掛となり、煽り板を起立した時に、ステップ板が自動的に収納されるトラック荷台の昇降用足掛とする。【解決手段】トラック荷台２の煽り板３に装着して使用する足掛１であって、煽り板３の内側面にケース４を固定する。ケース４内にステップ板５を煽り板３の起立時に基部側が上部となるように基部を垂直方向に回動可能に軸支１５する。ステップ板５と煽り板３の端部側に重心が掛かるように構成する。ステップ板５は煽り板３の傾倒時は垂下状態から倒立して水平状態に自重で９０°回動し、ケース４内から煽り板３の端部より側方へ突出し、煽り板３の起立時は水平状態から垂下状態に自重で９０°回動し、ケース４内に収納される。【選択図】図４
2004042770.tif 000002
【特許請求の範囲】
【請求項１】
トラック荷台の煽り板の端部に装着して使用される足掛であって、煽り板の内側面にケースが固定され、このケース内にステップ板が煽り板の起立時に、垂下状態で基部が垂直方向に回動可能に軸支されると共に、このステップ板は煽り板の端部側に重心が掛かるように構成され、ステップ板は煽り板の傾倒時は垂下状態から倒立して水平状態に自重で９０°回動し、ケース内から煽り板の端部より側方へ突出し、煽り板の起立時は水平状態から垂下状態に自重で９０°回動し、ケース内に収納されることを特徴とするトラック荷台の昇降用足掛。
【請求項２】
ケースに煽り板の傾倒時にステップ板に係合し、ステップ板の９０°以上の突出側への回動を阻止する突出時のストッパーと、煽り板の起立時にステップ板に係合し、ステップ板の９０°以上の収納側への回動を阻止する収納時のストッパーが設けられていることを特徴とする請求項１記載のトラック荷台の昇降用足掛。
【請求項３】
ステップ板に滑り止め用凹凸が設けられていることを特徴とする請求項１又は２記載のトラック荷台の昇降用足掛。
【発明の詳細な説明】
【０００１】
【発明の属する技術分野】
本発明は、平ボデー型トラックの荷台に這い上がり、又は降りる時に利用する足掛に関するものである。
【０００２】
【従来の技術】
従来の平ボデー型トラックにおいては、荷台へ上がる足掛は固定的に設けられている。しかし、この足掛は煽り板が起立した状態では利用できるが、煽り板を倒した場合は煽り板で隠れてしまって利用できないのである。
【０００３】
【発明が解決しようとする課題】
荷台が低床の場合は多少無理しても這い上がりは可能であるが、年配者や高床ボデーの場合では容易でなく、つらく面倒な作業と成るのである。
【０００４】
そこで、本発明は平ボデー型トラック荷台の煽り板を倒した時に、自動的にステップ板が出て足掛となり、煽り板を起立した時にステップ板が自動的に収納される平ボデー型トラックの昇降用足掛を提供しようとするものである。
【０００５】
【課題を解決するための手段】
上記課題を解決するため本発明トラック荷台の昇降用足掛は、トラック荷台の煽り板の端部に装着して使用される足掛であって、煽り板の内側面にケースが固定され、このケース内にステップ板が煽り板の起立時に、垂下状態で基部が垂直方向に回動可能に軸支されると共に、このステップ板は煽り板の端部側に重心が掛かるように構成され、ステップ板は煽り板の傾倒時は垂下状態から倒立して水平状態に自重で９０°回動し、ケース内から煽り板の端部より側方へ突出し、煽り板の起立時は水平状態から垂下状態に自重で９０°回動し、ケース内に収納されることを特徴とするものである。
【０００６】
このような構成とすることにより、煽り板を倒すと、ケース内に煽り板の起立時に垂下状態で収納されているステップ板が倒立し、軸支部が下方に位置する、このステップ板は煽り板の端部側に重心が掛かるように構成されているため、軸支部を支点として自重で煽り板の端部側へ９０°下方へ回動し、煽り板の端部より側方へステップ板が水平状態でケースより突出するから、このステップ板に足を掛け作業者は荷台に上がったり、荷台から降りたりすることができる。
【０００７】
そして、煽り板を起立すると、逆に軸支部が上方に位置するので、軸支部を支点としてステップ板は水平状態から自重で９０°下方へ回動し、ケース内に収納され、元の垂下状態に戻る。
【０００８】
又、本発明は請求項１のトラック荷台の昇降用足掛において、ケースに煽り板の傾倒時にステップ板に係合し、ステップ板の９０°以上の突出側への回動を阻止する突出時のストッパーと、煽り板の起立時にステップ板に係合し、ステップ板の９０°以上の収納側への回動を阻止する収納時のストッパーが設けられていることを特徴とするものである。
【０００９】
このような構成とすることにより、ステップ板に足を掛けても突出時のストッパーによりステップ板は確実に支持固定されると共に、逆にステップ板がケース側に９０°回動し、収納された時に収納時のストッパーによりそれ以上の回動を阻止して、煽り板を倒した時にステップ板がスムーズに突出して回動を始めるようにしている。
【００１０】
又、本発明は請求項１又は２のトラック荷台の昇降用足掛において、ステップ板に滑り止め用凹凸が設けられていることを特徴とするものである。
【００１１】
このような構成とすることにより、作業者がステップ板に足を掛けても滑ることがないので、昇降時に安全である。
【００１２】
【発明の実施の形態】
以下、本発明の一実施の形態を図面に基づき説明する。
図１及び図２は本発明トラック荷台の昇降用足掛の使用状態を示し、図１は不使用時の正面図、図２は使用時の正面図である。
図３及び図４は同上の作用を示し、図３は煽り板の起立時でステップ板がケース内に収納された状態のトラック荷台側から見た一部切り欠いた正面図、図４は煽り板の傾倒時でステップ板がケースから突出した状態のトラックの外側から見た断面図、図５及び図６は同上の断面図である。
【００１３】
而して、図中１は足掛であり、この足掛１はトラック荷台２の側部又は後部の煽り板３の内側面の端部に装着されるものである。
足掛１はケース４と、ケース４内に出入り可能に収納された略長方形の板状のステップ板５から構成されている。
【００１４】
ケース４は煽り板３の端部の内側面に当着され、縦長で長方形の平板状の内側カバー６と、この内側カバー６と間隔をおいて、内側カバー６の前面及び煽り板３の端部側の側部を除いて内側カバー６の周側部を覆う外側カバー７から成り、外側カバー７の周囲は煽り板３の端部側の側部を除いて、内側カバー６の縁部に当着するよう縁部７Ａが屈曲形成され、ケース４の煽り板３の端部側の側部は開口部８に形成されている。
【００１５】
この開口部８の上部及び下部に、内側カバー６の側部と連続して９０°内側に屈曲した屈曲片６Ｂと、外側カバー７の側部と連続して９０°内側へ屈曲した屈曲片７Ｂが、外側カバー７の屈曲片７Ｂを外側にして抱き合わせに二重に形成されている。
【００１６】
ケース４の煽り板３への装着は、外側カバー７の縁部９Ａに設けたビス孔９、及びこのビス孔９と対応する内側カバー６の位置に設けたビス孔１０に、外側カバー７側から煽り板３の内側面にビス止めする。
【００１７】
次に、ステップ板５は煽り板３が起立した状態で基部側が上部となるように、その基部がケース４内に垂直方向に回動可能に取り付けられ、垂下状態となっている。
取り付けは、煽り板３が起立した状態でケース４の上方で内側カバー６と外側カバー７間に軸となるピン１１を固定する。
【００１８】
固定方法は、ピン１１の一方の端部を外側カバー７に熔着し、他方の端部はピン１１に設けた螺子孔１１Ａに内側カバー６側よりビス１２で内側カバー６に止着する。
このピン１１の外周にカラー１３が回動可能に嵌合すると共に、カラー１３と内側カバー６間、及びカラー１３と外側カバー７間にワッシャー１４が夫々介在されている（図５）。
上記ピン１１、ビス１２、カラー１３、ワッシャー１４により軸支部１５が構成されている。
【００１９】
そして、ステップ板５の基部に嵌合孔１６が穿設され、この嵌合孔１６がカラー１３に回動可能に嵌合することにより、ステップ板５は垂直方向に回動可能となっている。
【００２０】
又、ステップ板５は基部側より先方側に、ケース４の開口部８側に膨出部５Ａが形成され、煽り板３が倒れてステップ板５が倒立すると、重心がケース４の開口部８側、即ち煽り板３の端部側に掛かり、煽り板３の端部より側方へステップ板５が突出するようになっている。
【００２１】
又、ステップ板５のケース４の開口部８側と反対側の足掛け部１７となる側部に滑り止め用凹凸１８が形成されている。
この滑り止め用凹凸１８の一部はケース４の内側カバー６に切り起こし形成された凸部１９に当接している。
この凸部１９によりステップ板５は煽り板３を倒した時の突出した水平状態から煽り板３を起立し、収納側へ自重で９０°回動した時、それ以上回動しないように阻止され、凸部１９は収納時のストッパー２０となっている。
【００２２】
又、ステップ板５のケース４からの突出時は、足掛け部１７と反対側の側部で基部側の側部５Ｂがケース４の開口部８の上部側（煽り板３を倒した時は下部に位置する）の屈曲片６Ｂ、７Ｂの端部に水平に支持され、この屈曲片６Ｂ、７Ｂは、ステップ板５が突出側へそれ以上回動しないように阻止する突出時のストッパー２１となっている。
【００２３】
又、このステップ板５の突出時に、足掛け部１７側の側部で軸支部１５を越えた延長上の基部側の側部５Ｃが当接する凸部２２がケース４の内側カバー６に切り起こし形成されている。
この凸部２２によりステップ板５は突出時に上記突出時の第１のストッパー２１と共に、ステップ板５が突出側へそれ以上回動しないように阻止する突出時の第２ストッパー２３となっている。
【００２４】
次に、本発明昇降用足掛の使用方法を説明する。
煽り板３が起立した状態の足掛１の不使用時は、図３に示すようにステップ板５は軸支部１５がケース４の上方に位置しているため、ケース４内に垂下した状態で収納されている。
【００２５】
そして、煽り板３を倒すと、図４に示すようにケース４が煽り板３と共に逆になり、軸支部１５が下方に位置し、ステップ板５は倒立するが、ステップ板５は煽り板３の端部側に重心が掛かるように膨出部５Ａが形成されているため、これにより軸支部１５を支点として煽り板３の端部側へ自重で９０°回動し、ケース４の開口部８より突出して足掛け部１７は水平状態となり、ステップ板５の基部側の側部５Ｂがケース４の突出時の第１のストッパー２１上に載置され、安定した水平状態を保持する。
この時、ステップ板５の基部側の側部５Ｂと反対側の側部５Ｃは突出時の第２のストッパー２３に当接し、ステップ板５のそれ以上の回動を阻止する。
【００２６】
よって、作業者はこの水平状態で突出しているステップ板５の足掛け部１７に足を掛け、トラック荷台２上に上り又トラック荷台２上より降りることが可能となる。
【００２７】
又、作業者は作業を終え、煽り板３を起立するとケース４が元に戻り、軸支部１５がケース４の上方に位置するので、ステップ板５は軸支部１５を支点として自重で下方へ回動してケース４内に収納され、ステップ板５の足掛け部１７がストッパー２０に当接し、ステップ板５は元に戻り垂下状態で停止する。
【００２８】
【発明の効果】
本発明によれば、トラック荷台の煽り板を倒した時に、煽り板の端部より側方にステップ板が自動的に突出して足掛となり、煽り板を起立した時にステップ板がケース内に自動的に収納されるので、作業者の操作は不要で便利であると共に、トラック荷台の昇降を容易にしたものである。
【図面の簡単な説明】
【図１】本発明の使用状態を示し、ステップ収納時の正面図である。
【図２】本発明の使用状態を示し、ステップ突出時の正面図である。
【図３】本発明の作用を示し、図１の内側から見た一部切り欠いた拡大正面図である。
【図４】本発明の作用を示し、図２の拡大断面図である。
【図５】図３の拡大縦断面図である。
【図６】図４の拡大横断底面図である。
【符号の説明】
１　足掛
２　トラック荷台
３　煽り板
４　ケース
５　ステップ板
６　内側カバー
７　外側カバー
８　開口部
９、１０　ビス孔
１１　ピン
１２　ビス
１３　カラー
１４　ワッシャー
１５　軸支部
１６　嵌合孔
１７　足掛け部
１８　滑り止め用凹凸
１９、２２　凸部
２０　収納時のストッパー
２１　突出時の第１のストッパー
２３　突出時の第２のストッパー
【図１】
2004042770.tif 000003
【図２】
2004042770.tif 000004
【図３】
2004042770.tif 000005
【図４】
2004042770.tif 000006
【図５】
2004042770.tif 000007
【図６】
2004042770.tif 000008